(57)【要約】      （修正有）【課題】取付け部材の穴径に応じ、先端部を交換することにより、容易に多様な削孔寸法に対応し、且つ正確に打刻でき、十分な作業性を確実に確保できる中心打刻治具を提供する。【解決手段】削孔作業の前工程の際に、削孔対象部材１２に対して削孔箇所の中心点に目印を打刻する中心打刻治具であって、錐状の先端部を有するポンチ７と、ポンチを内部に挿入可能な筒状体２１を含み、筒状体が、中心線が直線状に延びる筒状本体１と、筒状本体に同軸に連続し且つ取り外し可能に結合され、筒状体先端部の外周を区画する外周面を有する先端円筒３から構成される。【選択図】図２
0003218639.tif 000002
【実用新案登録請求の範囲】
【請求項１】
削孔作業の前工程の際に、削孔対象部材に対して削孔箇所の中心点にガイド部材を介して目印を打刻する中心打刻治具であって、
錐状の先端部を有するポンチと、
前記ポンチを内部に挿入可能な筒状体とを含み、
前記筒状体が、
中心線が直線状に延びる筒状本体と、
前記筒状体先端部の外周を区画する外周面を有し、前記筒状本体に同軸に連続し且つ取り外し可能に結合された先端円筒とを含む中心打刻治具。
【請求項２】
前記先端円筒の基端には雄ねじが設けられており、前記筒状本体の先端には、前記雄ねじに螺合する雌ねじが設けられている、請求項１に記載の中心打刻治具。
【請求項３】
前記先端円筒が、平坦面からなる先端面を有し、前記先端面の外周縁にはテーパ面が形成されている、請求項１または２に記載の中心打刻治具。
【考案の詳細な説明】
【技術分野】
【０００１】  本発明は、現場作業における削孔の前工程の際において、削孔機器に備えられたセンターピンの位置決めを容易かつ正確に行うための中心打刻治具に関する。
【背景技術】
【０００２】  従来、対象部材に取付け部材を付設する際、ボルト・ナットで締結するための削孔作業が必要である。その削孔作業の前工程として、削孔径の中心に罫書きやマーキング等の手法と並んでポンチ打刻が存在している。より簡易的に且つ正確に中心点に目印をつけるための一例が特許文献１に記載されている。【０００３】  しかしこの特許文献１に記載された打刻治具は、削孔径の対応可能数が１ないしは限定的であり、無理に複数に対応させようとして特異な形状を取るあまり、取付け部材への接触面積が狭く設置時の安定性に欠け、且つばねの劣化により中心点に正確に打刻することが困難な仕組みとなっていることが課題であった。
【先行技術文献】
【特許文献】
【０００４】
【特許文献１】特開２００２−１４３９４０号公報
【考案の概要】
【考案が解決しようとする課題】
【０００５】  しかしながら、特許文献１に記載された中心打刻治具では、簡易性と正確性の両立に支障をきたす可能性があり、十分な作業性を確保し得なかった。【０００６】  本発明は、多様な削孔寸法に柔軟に対応することが可能であり、且つ正確に打刻できる特徴を備えた交換式中心打刻治具を提供することを目的とする。
【課題を解決するための手段】
【０００７】  本願の、請求項１に係る発明は、上記技術的課題に鑑みてなされたもので、削孔作業の前工程の際に、削孔対象部材に対して削孔箇所の中心点にガイド部材を介して目印を打刻する中心打刻治具であって、錐状の先端部を有するポンチと、前記ポンチを内部に挿入可能な筒状体とを含み、前記筒状体が、中心線が直線状に延びる筒状本体と、前記筒状体先端部の外周を区画する外周面を有し、前記筒状本体に同軸に連続し且つ取り外し可能に結合された先端円筒とを含む中心打刻治具を提供する。【０００８】  また本願の、請求項２に係る発明は、前記先端円筒の基端には雄ねじが設けられており、前記筒状本体の先端には、前記雄ねじに螺合する雌ねじが設けられている請求項１に記載の中心打刻治具である。【０００９】  また本願の、請求項３に係る発明は、前記先端円筒が、平坦面からなる先端面を有し、前記先端面の外周縁にはテーパ面が形成されている請求項１または２に記載の中心打刻治具である。
【考案の効果】
【００１０】  本願発明によれば、多様な削孔寸法に柔軟に対応することが可能であり、且つ正確に打刻でき、十分な作業性を確実に確保できる。
【図面の簡単な説明】
【００１１】
【図１】本発明の、実施形態に係る組立図（側面）である。
【図２】本発明の、実施形態に係る実施例（断面図）である。
【図３】本発明の、筒状本体の側面図である。
【図４】本発明の、筒状本体の正面図である。
【図５】本発明の、先端円筒の側面図である。
【図６】本発明の、先端円筒の側面図（外周寸法違い）である。
【考案を実施するための形態】
【００１２】  以下、添付図面を参照しながら、本発明の実施形態について説明する。中心打刻治具２０は、削孔対象部材に対して、削孔箇所の中心点にガイド部材を介して、目印を打刻する治具である。なお、以下では一般的な取付け部材の付設作業を取り上げるが、本発明に係る中心打刻治具２０は、これに限定されることなく、例えば、当て揉み式の多層穴あけ作業にも適用可能である。
【００１３】  図１は、本発明の一実施形態に係る中心打刻治具２０を示す組立図である。図２は、中心打刻治具２０の使用状態を示す断面図である。図３は、筒状本体１の側面図である。図４は、図３を矢視Ａから見た図である。
【００１４】  図５は、第１の先端円筒３の正面図である。図６は、第２の先端円筒３３の正面図である。
【００１５】  図１に示されるように、中心打刻治具２０は、錐状（円錐状）の先端部を有するポンチ７と、ポンチ７を内部に挿入可能な筒状体２１をと含む。筒状体２１は、筒状本体１と、筒状本体１の先端側に取り外し可能に結合された第１及び第２の先端円筒３、３３とを含む。
【００１６】  筒状本体１は中心線が直線状に延びている。筒状本体１は、鉄（例えばＳ４５Ｃ）製である。
【００１７】  各先端円筒３、３３は、筒状本体１に同軸に連続した状態で、筒状本体１に取り付けられている。各先端円筒３、３３は、鉄（たとえばＳ４５Ｃ）製である。筒状本体１の内周面は、各先端円筒３、３３の内周面と面一に設けられている。
【００１８】  各先端円筒３、３３の外周面５５によって、筒状本体１の先端部外周が区画されている。図５、及び図６に示すように、第２の先端円筒３３の外径は第１の先端円筒３の外径より大きい（Ｗ２＞Ｗ１）。第１の先端円筒３および第２の先端円筒３３は、外径を除いて、互いに同一の諸元を有している。
【００１９】  各先端円筒３、３３の基端には雄ねじ６が設けられている。筒状本体１の先端には雌ねじ２が設けられている。雌ねじ２が雄ねじ６に螺合可能に設けられている。
【００２０】  各先端円筒３、３３が、平坦面からなる先端面５を有している。先端面は、筒状体２１の延びる方向と直交している。先端面５の外周縁には、全周に渡ってテーパ面４が形成されている。
【００２１】  本実施形態に係る中心打刻治具２０は、筒状本体１の雌ねじ２と、先端円筒３、３３の雄ねじ６を螺合した状態で、軸方向の中空構造内に筒状本体１方向からポンチ７を挿入して成る。
【００２２】  そして常に削孔部の中心に打刻を行うために、筒状本体１及び各先端円筒３、３３の中空構造内周は、互いに同一径の同心円筒状であり、且つポンチ７の外径とも略一致させることで、簡易的且つ正確な打刻を可能にしている。
【００２３】  また、ポンチ７の材質は鉄（たとえばＳ４５Ｃ）製だが、ポンチ錐状先端８に部分的な焼き入れ処理を施すことにより、硬度の向上を実現している。
【００２４】  例えば、橋梁の補修工事や耐震補強工事等において、既設の構造物が穴あけ作業の対象部材であり、ブラケットなどの取付け部材を付設する場合、ブラケットの設置個所は設計図面で指定されており、且つブラケットは工場製作のため既にボルト・ナットの締結位置に穴あけがなされている。
その際、対象部材への穴あけ作業の前工程として、ブラケット１０を設置個所にあてがい、ブラケット１０の既設穴１１の寸法（Ｗ１、及び、Ｗ２）に合わせて選択された先端円筒３、３３のテーパ面４から、ブラケット１０の既設穴１１に先端面５が対象部材に接触するまで挿入した後、ポンチ７のポンチ被打撃頭部９をハンマー等で打撃することにより、筒状本体１と先端円筒３の中空構造にポンチ７が誘導され、ポンチ錐状先端部８が対象部材１２に接触することで打刻を完成する。
【００２５】  この実施形態では、外径の異なる先端円筒として２種類の先端円筒３、３３を例示したが、先端円筒３、３３の種類の数が３以上であってもよい。
【００２６】  なお、本発明は、例示された実施の形態に限定されるものではなく、本発明の趣旨を逸脱しない範囲において、種々の改良及び、設計上の変更が可能であることは言うまでもない。例えば、前述した実施形態では、一般的な取付け部材の付設作業について説明したが、これに限定されることなく、取付け部材のサイズや形状または材質の違う場合においても、作業性を確保する上で有効である。
【符号の説明】
【００２７】  １・・・  筒状本体
２・・・  雌ねじ
３・・・  先端円筒
４・・・  テーパ面
５・・・  先端面
６・・・  雄ねじ
７・・・  ポンチ
８・・・  ポンチ錐状先端
９・・・  ポンチ被打撃頭部
１０・・・ブラケット
１１・・・既設穴
１２・・・対象部材
２０・・・中心打刻治具
２１・・・筒状体
３３・・・先端円筒（第２）
５５・・・外周面
【図１】
0003218639.tif 000003
【図２】
0003218639.tif 000004
【図３】
0003218639.tif 000005
【図４】
0003218639.tif 000006
【図５】
0003218639.tif 000007
【図６】
0003218639.tif 000008